(57)【要約】【課題】装置の高さ寸法を増やさず、且つ低コストで高精度な案内レールの水平設置が可能となる直動軸受装置を提供する。【解決手段】スライダーと、案内レールで構成される直動軸受装置において、案内レールの上面と下面を貫通する貫通孔と雌ねじ部を設けるとともに、雌ねじ部に別体の雄ねじ部を有する押しボルトと螺合させ、案内レールの上面側から押しボルト上面をねじ込むことで、案内レールの下面から押しボルト底面を突出させ、それを案内レール設置面に接触させることで、案内レールの高さ調整を行うことができる。【選択図】図２
2012013138.tif 000002
【特許請求の範囲】
【請求項１】
負荷物を搭載するスライダーと、スライダーの直線運動を案内する案内レールとを備え、前記案内レールに、該案内レールの上面と下面を貫通する貫通孔を有するとともに、前記貫通孔長さのうちの一部に、該貫通孔と同心の雌ねじ部が設けられたことを特徴とする直動軸受装置。
【請求項２】
前記案内レールに設けられた前記雌ねじ部は、別体の雄ねじ部を有する押しボルトと螺合され、前記案内レールの上面側から前記押しボルト上面をねじ込むことで、該押しボルト底面が、前記レールの下面から突出する構造を有し、該押しボルト底面を前記案内レールを設置する設置面に接触させることで、前記案内レールの高さ調整を行うことを特徴とする、請求項１に記載の直動軸受装置。
【発明の詳細な説明】
【技術分野】
【０００１】
本発明は、製造装置や工作機械、測定装置等の機械装置の送り機構等に用いられるリニアガイド装置やボールねじ装置等の直動軸受装置に関する。
【背景技術】
【０００２】
従来から、多数個の転動体の転がりを利用した直動装置としては、いわゆるリニアガイド、リニアボールベアリング等の直動案内軸受やボールねじ装置等があり、多くの産業機械の重要な機械要素として使用されている。これら直動装置には、転動体の滑らかで安定した作動性、低騒音や長寿命などの特性が共通して要求されている。こうした要求には、案内レール全域に亘る平面度の確保も大きな要素となっており、直動装置の案内レールを設置する面精度が良くない場合に案内レールの平面度（水平度）を向上させるために、レールのレベル調整が必要であるという課題があった。
【０００３】
この部分の改善の先行技術としては、特許文献１（特開平２−１０６５０５号公報）があり、これは図４に示すように、ガイド（案内）レール１１０はキャリアレール１１６に支持され、該キャリアレール１１６をガイドレール１１０の直角方向に貫通するキャリアプレート１２０が、ジャッキねじ１２４のフランジ１３０で高さ調整されるようになっている。フランジ１３０の高さは、ジャッキねじ１２４の「ねじが設けられた下部１２６」と、そのねじの螺合相手となるガイドレール１１０の基礎プレート１３８上に差し込み部１３６で差し込まれるジャッキ胴部１３２上部の「ねじを施された凹部１３４」との、ねじ調整により、床の基準レベルに対しガイドレール１１０が実質上水平になるように調整する調整装置が提案されている。
【先行技術文献】
【特許文献】
【０００４】
【特許文献１】特開平２−１０６５０５号公報
【発明の概要】
【発明が解決しようとする課題】
【０００５】
しかしながら、上記特許文献１に記載の従来例にあっては、案内レールとは別の複数の部品のレベル調整ねじ部が積上げられる構成となっている為、装置の高さが高くなるとともに、コストも高くなるという問題があった。
【０００６】
そこで、本発明は、上記従来例の課題に着目してなされたものであり、案内レールに案内レール水平出し調整用のねじ穴を直接設けることにより、装置の高さ寸法を増やさず、且つ低コストで高精度な案内レールの水平設置を実現することを目的とする。
【課題を解決するための手段】
【０００７】
上記問題を解決するために、本発明の請求項１に係る直動軸受装置は、負荷物を搭載するスライダーと、スライダーの直線運動を案内する案内レールとを備え、前記案内レールに、該案内レールの上面と下面を貫通する貫通孔を有するとともに、前記貫通孔長さのうちの一部に、該貫通孔と同心の雌ねじ部が設けられたことを特徴としている。
【０００８】
上記課題を解決するために、本発明の請求項２に係る直動軸受装置は、請求項１に示す構成において、前記案内レールに設けられた前記雌ねじ部は、別体の雄ねじ部を有する押しボルトと螺合され、前記案内レールの上面側から前記押しボルト上面を締め込むことで、該押しボルト底面が、前記レールの下面から突出する構造を有し、該押しボルト底面を前記案内レールを設置する設置面に接触させることで、前記案内レールの高さ調整を行うことを特徴としている。
【発明の効果】
【０００９】
本発明によれば、装置の高さ寸法を増やさず、且つ低コストで高精度な案内レールの水平設置が可能となる。また取付面（設置面側）を高精度に仕上がる必要もなくなるので装置全体の低コスト化にも繋がる。
【図面の簡単な説明】
【００１０】
【図１】本発明を適用した案内レール高さ調整機構付き直動軸受装置の一実施形態を示す図であり、（ａ）は平面図、（ｂ）は側面図（案内レールの一部は断面図）である。
【図２】本発明の一実施形態の案内レール高さ調整機構を面精度がよくない設置面に敷設した図である。
【図３】図２のＡ部を拡大した図である。
【図４】従来技術のレールのレベル調整装置を示す図である。
【発明を実施するための形態】
【００１１】
図１は、本発明を適用した案内レール高さ調整機構付き直動軸受装置の一実施形態を示し手いる。図１において、本発明の直動軸受装置１は、転動体としてローラーや玉を用い、その内部にそれら転動体の循環路を有する公知技術で構成される重量負荷物を搭載するスライダー２と、本発明の高さ調整機構を有する案内レール３とで構成される。
【００１２】
案内レール３には、従来の案内レールと同様に、案内レール上面３ａから、案内レール下面３ｂに向けて、案内レール３をボルト等により固定する為の座ぐり（肩部）のついた案内レール固定用孔４が等間隔に設けられている。本発明では、更にこの案内レール固定用孔４の孔の略中間位置に、案内レールの水平面調整のためのレベル調整用ねじ孔５を設けている。
【００１３】
このレベル調整用ねじ孔５は、図１（ｂ）に示すように、案内レール上面３ａから案内レール下面３ｂまでの貫通孔となっているが、その貫通穴の下部の一部、つまり案内レール下面３ｂ側は、案内レール上面３ａ側に穴径と比較して小径としたレベル調整用ねじ部５ａ（雌ねじ）を設けている。案内レール上面３ａから案内レール下面３ｂまでの全範囲を雌ねじ加工しないのは、この雌ねじ部は、後述するレール高さ調整用の押しボルト７（雄ねじ）との組合せで、求められるねじ軸方向の機械的強度を確保した上で、不必要となる部分までの雌ねじ加工の無駄を無くすためである。このレベル調整用ねじ孔５の形状や直径は、案内レール上面３ａ側より、押しボルト７の調整に使用する工具に対し、適切なものとすれば良い。
【００１４】
図２は、本発明の一実施形態である案内レール高さ調整機構つきの案内レール３を、面精度がよくない設置面８に敷設した場合の一例を示したものである。図２を参照して、案内レール３の取り付けの手順の一例を説明する。まず、前述の通り案内レール固定用孔４は等間隔に設定しているので、設置面にその案内レール固定用孔４のピッチで、案内レール固定用ボルト６に合致した案内レール固定用穴８ａ（雌ねじ部を有する穴）を垂直に加工する。続いて、案内レール固定用孔４間に設けたレベル調整用ねじ孔５位置に合わせて、設置面８にレベル調整用ねじ孔５の最大径程度の大きさ（面積）の水平面が確保できる最小限度の深さまで押しボルト用座ぐり部８ｂの加工を行う。
【００１５】
その上で、穴及び座ぐり加工した設置面８の所定の位置に、案内レール３を載せるが、まず案内レール固定用ボルト６を全て使って、案内レール上面の水平度を水準器などの測定器を用いて確認しながら、案内レール固定用ボルト６を仮止めする。続いて図２のＡ部拡大図である図３に示すように、案内レール上面３ａからレベル調整用ねじ孔５に押しボルト７を所定の工具を使用して、押しボルト底面７ｂが、押しボルト用座ぐり部８ｂに接触する程度まで、矢印に示すように締め込む。
【００１６】
その後は、複数の案内レール固定用ボルト６と複数の押しボルト７の締め付け具合を全体的に調整しながら、最終的に案内レール全体が所定の水平基準を満たすように固定する。このように案内レール固定用ボルト６に加えて、複数の押しボルト７を設置面８に押し当てる事により、案内レール３を面精度が悪い設置面８に敷設する場合でも案内レール３が面精度の悪い取付面にならってしまう事を防止もしくは緩和することができる。
【００１７】
ここで、案内レール３の設置面への取り付けに際しては、予め押しボルト７を、押しボルト底面７ｂが、案内レール下面３ｂより僅かに引っ込んだ状態となるようにレベル調整用ねじ孔５に仮設置した状態にしてから行っても良いのは言うまでもない。なお、押しボルト７を締め緩めするための押しボルト上面７ａの形状は、案内レール固定用ボルト６として一般的に使用される六角穴でも良いし、想定される所定の締め付けトルクを満足するものであれば、どのような種類でも良い。
【００１８】
また、押しボルト底面７ｂ先端形状は、設置面８に設ける押しボルト用座ぐり部８ｂを設け、それら双方に対し適切な面圧となるように、平面とすることが一般的であるため、本実施形態ではそのような例示をしているが、これに限られるものではなく、設置面８の種類、面状況によっては、押しボルト底面７ｂ先端形状を選択的に円すい形状や半球状の凸形体としても良い。
【００１９】
さらにまた、本発明の一実施形態である図１では、複数の案内レール固定用ボルト６の中間部に、案内レール３の幅方向中央部に、一直線上に押しボルト７を一本設けることを前提に、押しボルト７を組み込むレベル調整用ねじ孔５を設けることを例示しているが、本発明はこれに限られるものではなく、例えば２本の案内レール固定用ボルト６の中間部に、例えば２本の押しボルト７を、案内レール３の軸方向中央からレール幅方向両側にそれぞれ幾分オフセットして斜めに並べて配置し、それぞれの箇所において個別に高さ調整するようにすることで、案内レール３の幅方向の水平度も同時に改善することが見込まれる。
【符号の説明】
【００２０】
１  直動軸受装置
２  スライダー
３  案内レール
３ａ  案内レール上面
３ｂ  案内レール下面
４  案内レール固定用孔
５  レベル調整用ねじ孔
５ａ  レベル調整用ねじ部
６  案内レール固定用ボルト
７  押しボルト
７ａ  押しボルト上面
７ｂ  押しボルト底面
８  設置面
８ａ  案内レール固定用穴
８ｂ  押しボルト用座ぐり部
１１０  ガイドレール
１１６  キャリアレール
１２０  キャリアプレート
１２４  ジャッキねじ
１３０  フランジ
１３２  ジャッキ胴部
１３６  差し込み部
１３８  基礎プレート  
【図１】
2012013138.tif 000003
【図２】
2012013138.tif 000004
【図３】
2012013138.tif 000005
【図４】
2012013138.tif 000006